(57)【要約】  本発明によるダンピングソールは、サポートゾーン（６，７）であって、主表面が、他のゾーン（１０〜１２）よりも小さい相対的な剛性又は硬度を有し、足の荷重支持の隆起部の下に置かれるサポートゾーン（６，７）によって特徴づけられる。サポートゾーン（６，７）は、傾斜角度（Ａ）でソールの下部の主表面（２）に向かって傾斜し、さらに、静止状態で、上記の足の対応する荷重支持の隆起部の皮膚部分の周囲面に対して斜めに耐えるようになるように配置される斜めの側面（６０，７０）によって限界が定められる。このように、満足のいく快適さを確実にしながらも、衝撃減衰の必要性と、靴における足の安定性の必要性との間で妥協に至る。
2020535948.tif 000002
【特許請求の範囲】
【請求項１】
フットウェアアイテム内に配置することができるフットウェアアイテムのためのダンピングソールであって、前記フットウェアアイテムのアウターソールと、足の足底面との間に配置され、足は、前記フットウェアアイテムに係合し且つ周縁部によって限定される皮膚部分を有する荷重支持の隆起部を有し、前記ダンピングソールは、ソールの上部の主表面によって、前記フットウェアアイテムのアウターソールに向けられるように適応したソールの下部の主表面によって、及び、前記足の足底面を越えて突出し、且つ、前記フットウェアアイテムの内側の輪郭に従うように適合した周囲輪郭によって限定され、前記ダンピングソールは、少なくとも２つのそれぞれ異なる剛性又は硬度を有する主表面ゾーンを有し、
−  前記ダンピングソールは、ソールサポートゾーン及びソールブレーキゾーンを含み、前記ソールサポートゾーンのそれぞれは、前記足のそれぞれの荷重支持の隆起部の下にくるように配置され、
−  前記ソールブレーキゾーンは、前記ソールサポートゾーンを取り囲み、特に、前記サポートゾーンと前記ソールの周囲輪郭との間に連続的なストリップを含み、
−  前記ソールサポートゾーンは第１材料に基づいており、前記ソールブレーキゾーンは第２材料に基づいており、
−  前記第１材料は、前記第２材料よりも小さい相対的な硬度又は剛性を有し、
−  前記ソールサポートゾーンは、前記第１材料と前記第２材料との境界を形成する前記ブレーキゾーンのそれぞれの側面によって限定され、
−  前記第１材料の相対的な硬度又は剛性は、１５から３５（１５及び３５を含む）  Ｓｈｏｒｅ  Ａであり、前記第２材料の相対的な硬度又は剛性は、２０から４０（２０及び４０を含む）  Ｓｈｏｒｅ  Ａであり、前記相対的な剛性又は硬度の差は、少なくとも約５  Ｓｈｏｒｅ  Ａであり、最大でも約１５  Ｓｈｏｒｅ  Ａであり、
−  前記ブレーキゾーンのそれぞれの側面は、前記ソールの上部の主表面に向かって傾斜し、前記足の対応する荷重支持の隆起部の下にくる前記ソールサポートゾーンの少なくとも１つを取り囲む略円錐形のブレーキゾーン表面を形成し、
−  前記それぞれの側面は、前記足が前記ソールの上で静的に支持される場合に、前記それぞれの側面の部分の全て又は大部分が、前記足のそれぞれの荷重支持の隆起部の皮膚部分の周縁部と一列に並ぶように配置されるため、前記足のそれぞれの荷重支持の隆起部は、前記ソールサポートゾーンの少なくとも１つに皮膚部分の周縁部に沿って係合し、その周囲長に沿って、前記少なくとも１つのソールサポートゾーンを取り囲む前記ソールブレーキゾーンの側面によって形成される前記略円錐形の表面に対して重みがかかるようになる、
ことを特徴とする、ダンピングソール。
【請求項２】
前記ソールブレーキゾーンの側面及び前記ソールの上部の主表面は、その間に、１５°から６０°（１５及び６０を含む）の傾斜角度を形成することを特徴とする、請求項１に記載のダンピングソール。
【請求項３】
前記傾斜角度は約４５°であることを特徴とする、請求項２に記載のダンピングソール。
【請求項４】
前記ダンピングソールの厚さは、その長手方向に沿って変わり、前記ダンピングソールの後側のゾーンにおいてより厚く、前側のゾーンにおいてより薄いことを特徴とする、請求項１乃至３のいずれか一項に記載のダンピングソール。
【請求項５】
−  前記ソールの使用中、前記足の指節骨によって形成される前記足の前側の荷重支持の隆起部の下にくるように適合し且つ配置された第１材料のソールの前側のサポートゾーン、
−  前記ソールの使用中、前記足の主な荷重支持の隆起部の下にくるように適合し且つ配置された第１材料のソールの主なサポートゾーンであって、前記足の中足骨頭部の下にくるように配置された遠位のサポート部分と、前記足の第５中足骨の下、立方骨の下、及び踵骨の前外側部分の下にくるように配置された外側のサポート部分と、前記足の踵の下にくるように配置された後側のサポート部分とを含む、第１材料のソールの主なサポートゾーン、
を含み、
−  前記前側のサポートゾーンは、第２材料の中間の横断ブレーキゾーンによって、前記主なサポートゾーンにより形成されたアセンブリから分離されている、
ことを特徴とする、請求項１乃至４のいずれか一項に記載のダンピングソール。
【請求項６】
サイズ４２のダンピングソールに対して、前記ソールの下部の主表面に従って、
−  前記前側のサポートゾーンは、ベクトルａｂ（２．６ｃｍ、２４０°）、ｂｃ（２．６ｃｍ、１８０°）、ｃｄ（０．９ｃｍ、１２０°）、ｄｅ（１．９ｃｍ、５０°）、ｅｆ（６．３ｃｍ、１２０°）、ｆｇ（２．５ｃｍ、０°）、ｇｈ（５ｃｍ、３１０°）、ｈｉ（１．６ｃｍ、２７０°）、ｉａ（０．８ｃｍ、０°）によって画定される多角形で囲まれ、
−  前記主なサポートゾーンにより形成されたアセンブリは、ベクトルｊｋ（２．２ｃｍ、２７０°）、ｋｌ（４．６ｃｍ、１８０°）、ｌｍ（２．２ｃｍ、９０°）、ｍｎ（１．１ｃｍ、０°）、ｎｏ（３．７ｃｍ、１０５°）、ｏｐ（４．８ｃｍ、１９５°）、ｐｑ（７．７ｃｍ、２１５°）、ｑｒ（３．７ｃｍ、１６０°）、ｒｓ（３．２ｃｍ、９０°）、ｓｔ（１．８ｃｍ、３５°）、ｔｕ（１４．８ｃｍ、１０°）、ｕｖ（４．３ｃｍ、３０５°）、ｖｊ（１．７ｃｍ、２７０°）によって画定される多角形で囲まれている、
ことを特徴とする、請求項１乃至５のいずれか一項に記載のダンピングソール。
【請求項７】
前記アウターソールと、インソール又はインナーソールとの間で前記フットウェアアイテム内に固定される中間ソールを構成することを特徴とする、請求項１乃至６のいずれか一項に記載のダンピングソール。
【請求項８】
取り外し可能なインナーソールを構成し、前記取り外し可能なインナーソールの上部の主表面は、前記足の足底面に接触するように適応し、前記取り外し可能なインナーソールの下部の主表面は、前記フットウェアアイテムのインナーソールと接触するように適応し、前記取り外し可能なインナーソールの周囲輪郭は、前記フットウェアアイテムの内側の輪郭に係合するように適合することを特徴とする、請求項１乃至６のいずれか一項に記載のダンピングソール。
【請求項９】
前記ソールの上部の主表面は略平面であること、及び、前記ダンピングソールは、その周囲輪郭に沿って、前記ソールの下部の主表面に向かって２０から７０°の平均傾斜で略傾斜した周囲面を含むことを特徴とする、請求項８に記載のダンピングソール。
【請求項１０】
前記上部の主表面上に清浄コーティングを含むことを特徴とする、請求項８又は９に記載のダンピングソール。
【請求項１１】
前記ソールサポートゾーンを構成する第１のエラストマー材料、及び、前記ソールブレーキゾーンを構成する第２のエラストマー材料の共に接着されたアセンブリで構成され、接着された清浄上部コーティングを有することを特徴とする、請求項１乃至１０のいずれか一項に記載のダンピングソール。
【請求項１２】
請求項１乃至１１のいずれか一項に記載のダンピングソールを少なくとも１つ含むフットウェアアイテム。
【請求項１３】
フットウェアアイテム内に配置されるダンピングソールの使用であって、前記ダンピングソールは、前記フットウェアアイテムのアウターソールと、足の足底面との間に配置され、足は、前記フットウェアアイテムに係合し且つ周縁部によって限定される皮膚部分を有する荷重支持の隆起部を有し、前記ダンピングソールは、ソールの上部の主表面によって、前記フットウェアアイテムのアウターソールに向けられるように適応したソールの下部の主表面によって、及び、前記足の足底面を越えて突出し、且つ、前記フットウェアアイテムの内側の輪郭に従うように適合した周囲輪郭によって限定され、前記ダンピングソールは、少なくとも２つのそれぞれ異なる剛性又は硬度を有する主表面ゾーンを有し、
−  前記ダンピングソールは、ソールサポートゾーン及びソールブレーキゾーンを含み、前記ソールサポートゾーンのそれぞれは、前記足のそれぞれの荷重支持の隆起部の下にくるように配置され、
−  前記ソールブレーキゾーンは、前記ソールサポートゾーンを取り囲み、特に、前記サポートゾーンと前記ソールの周囲輪郭との間に連続的なストリップを含み、
−  前記ソールサポートゾーンは第１材料に基づいており、前記ソールブレーキゾーンは第２材料に基づいており、
−  前記第１材料は、前記第２材料よりも小さい相対的な硬度又は剛性を有し、
−  前記ソールサポートゾーンは、前記第１材料と前記第２材料との境界を形成する前記ソールブレーキゾーンのそれぞれの側面によって限定され、
−  前記第１材料の相対的な硬度又は剛性は、１５から３５（１５及び３５を含む）  Ｓｈｏｒｅ  Ａであり、前記第２材料の相対的な硬度又は剛性は、２０から４０（２０及び４０を含む）  Ｓｈｏｒｅ  Ａであり、前記相対的な硬度又は剛性の差は、少なくとも約５  Ｓｈｏｒｅ  Ａであり、最大でも約１５  Ｓｈｏｒｅ  Ａであり、
−  前記ブレーキゾーンのそれぞれの側面は、前記ソールの上部の主表面に向かって傾斜し、前記ソールサポートゾーンの少なくとも１つを取り囲む略円錐形のブレーキゾーン表面を形成し、
−  前記それぞれの側面は、前記足が前記ソールの上で静的に支持される場合に、前記それぞれの側面の部分の全て又は大部分が、前記足のそれぞれの荷重支持の隆起部の皮膚部分の周縁部と一列に並ぶように配置されるため、前記足のそれぞれの荷重支持の隆起部は、前記ソールサポートゾーンの少なくとも１つに皮膚部分の周縁部に沿って係合し、その周囲長に沿って、前記少なくとも１つのソールサポートゾーンを取り囲む前記ソールブレーキゾーンの側面によって形成される前記略円錐形の表面に対して重みがかかるようになる、
ダンピングソールの使用。
【発明の詳細な説明】
【技術分野】
【０００１】
本発明は、フットウェアアイテムにおいて、地面と接触するように意図されたフットウェアアイテムのアウターソールと、フットウェアアイテムに係合するユーザの足の足底面との間で使用するためのダンピングソールに関する。
【背景技術】
【０００２】
取り外し可能なインナーソールは、頻繁に使用されており、一般的に、足の足底面と接触するように適応した上部の主表面によって、フットウェアアイテムのソールと接触するように適応した下部表面によって、及びフットウェアアイテムの内側の輪郭に係合するように適合した周囲輪郭によって限定されている。
【０００３】
取り外し可能なインナーソールは、一般的に、ユーザの足にフットウェアアイテムをより良好にフィットさせるために、サイズ又は形状の代償の対象を有する。取り外し可能なインナーソールの厚さはそれに応じて選ばれ、この厚さは、ユーザの足の下の関係するゾーンの関数として変わり得る。
【０００４】
ウォーキング又はランニングに使用される場合に足への衝撃を効果的に減衰させ、同時に、歩く又は走る場合の靴に対する足の動き、及び、方向を変える場合の横又は回転の動きに対抗することによって靴においていくらかの足の安定性を得るためにフットウェアアイテムに組み込まれることを意図した取り外し可能なインナーソールが、特許文献１においてすでに記載されている。
【０００５】
また、特許文献２から、より剛性が低い材料の連続的なサポートゾーン及びより剛性が高い材料の２つのゾーンを有するソールも知られている。サポートゾーンは、踵ゾーン、立方骨ゾーン、第４及び第５中足骨頭部のゾーン、並びに母趾のゾーンを占める。より剛性が高い第１のゾーンは、踵のゾーンを少なくとも大まかに取り囲んでいる。より剛性が高い第２のゾーンは、第２趾から第５趾を支えている。このソールの効果は、足の足底面を上げること、及び、歩くときの足の回転運動を好むことである。より剛性が高いゾーンの内縁部は、連続的なサポートゾーンがより剛性が高いゾーンを部分的に覆うように傾斜しており、疼痛を引き起こしがちである鋭い縁部の存在を回避している。
【０００６】
しかし、現在まで、この種の取り外し可能なインナーソールでは、フットウェアアイテム内の足の安定性は、迅速に歩く、走る、又はジャンプする場合に不十分であるか、又は、フットウェアアイテム内の足の安定性は、受け入れられない不快感という代償を払って達成されるかのいずれかであり、これは、ユーザの脊柱に伝播し、脊柱の問題を誘発する衝撃波に起因すると本発明の発明者は考えている。
【０００７】
さらに、中間ソールはすでに開発されており、アウターソールとインソール又はインナーソールとの間で靴の中に固定され、垂直力を減衰させるように構成されている。しかし、これらの中間ソールは足の安定性を達成せず、迅速に歩く、走る、又はジャンプする場合のユーザの脊柱における衝撃波の問題を解決していない。
【先行技術文献】
【特許文献】
【０００８】
【特許文献１】ＷＯ  ２００５／０１３７４６  Ａ１
【特許文献２】ＤＥ  ２７  ０９  ５４６  Ａ１
【発明の概要】
【発明が解決しようとする課題】
【０００９】
本発明によって取り組まれる問題は、フットウェアアイテムに組み込まれることを意図したソールを設計することであり、それは、靴における足の良好な位置決め及び良好な安定性を達成して、靴に対する足の望まれない動きを防ぎ、同時に、速く歩く、走る、又はジャンプする場合のユーザの脊柱ほど遠くまで伝播する衝撃波、及び方向を変える場合の横又は回転の動きの有意の減少を達成する。
【課題を解決するための手段】
【００１０】
上記及び他の目的を達成するために、本発明は、フットウェアアイテム内に配置することができるダンピングソールを提案し、ダンピングソールは、フットウェアアイテムのアウターソールと、足の足底面との間に配置され、足は、フットウェアアイテムに係合し且つ周縁部によって限定される皮膚部分を有する荷重支持の隆起部を有し、ダンピングソールは、ソールの上部の主表面によって、フットウェアアイテムのアウターソールに向けられるように適応したソールの下部の主表面によって、及び、足の足底面を越えて突出し、且つ、フットウェアアイテムの内側の輪郭に従うように適合した周囲輪郭によって限定され、ダンピングソールは、少なくとも２つのそれぞれ異なる剛性又は硬度を有する主表面ゾーンを有し、
−  ダンピングソールは、ソールサポートゾーン及びソールブレーキゾーンを含み、ソールサポートゾーンのそれぞれは、足のそれぞれの荷重支持の隆起部の下にくるように配置され、
−  上記のソールブレーキゾーンは、上記のソールサポートゾーンを取り囲み、特に、サポートゾーンとソールの周囲輪郭との間に連続的なストリップを含み、
−  ソールサポートゾーンは第１材料に基づいており、ソールブレーキゾーンは第２材料に基づいており、
−  第１材料は、第２材料よりも小さい相対的な硬度又は剛性を有し、
−  ソールサポートゾーンは、第１材料と第２材料との境界を形成するブレーキゾーンのそれぞれの側面によって限定され、
−  上記の第１材料の相対的な硬度又は剛性は、１５から３５（１５及び３５を含む）  Ｓｈｏｒｅ  Ａであり、上記の第２材料の相対的な硬度又は剛性は、２０から４０（２０及び４０を含む）  Ｓｈｏｒｅ  Ａであり、上記の相対的な硬度又は剛性の差は、少なくとも約５  Ｓｈｏｒｅ  Ａであり、最大でも約１５  Ｓｈｏｒｅ  Ａであり、
−  上記のブレーキゾーンのそれぞれの側面は、ソールの上部の主表面に向かって傾斜し、足の対応する荷重支持の隆起部の下にくるソールサポートゾーンの少なくとも１つを取り囲む略円錐形のブレーキゾーン表面を形成し、
−  それぞれの側面は、足がソールの上で静的に支持される場合に、それぞれの側面の部分の全て又は大部分が、上記の足のそれぞれの荷重支持の隆起部の皮膚部分の周縁部と一列に並ぶように配置されるため、上記の足のそれぞれの荷重支持の隆起部は、上記のソールサポートゾーンの少なくとも１つに皮膚部分の周縁部に沿って係合し、その周囲長に沿って、上記の少なくとも１つのソールサポートゾーンを取り囲むソールブレーキゾーンの側面によって形成される略円錐形の表面に対して重みがかかるようになる。
【００１１】
第１材料及び第２材料は、ＳｈｏｒｅＡスケールで表される相対的な硬度又は剛性を有するため、これらは弾性的に変形可能な材料であり、圧縮状態で荷重が加えられた後、静止状態のその初期形状を再開する。
【００１２】
第１材料及び第２材料の選ばれた相対的な硬度又は剛性の値自体が、ブレーキゾーンの側面の位置及び向きにかかわらず、ダンピングソールに係合したユーザの足における疼痛の全てのリスクを排除する。
【００１３】
さらに、ソールサポートゾーンの特定の位置及び形状と、静止状態で足の対応する荷重支持の隆起部の皮膚部分の周縁部と一列に並ぶようになるソールブレーキゾーンの側面の斜めの向きとの組み合わせによって、本発明が基づく問題が効果的に解決され、すなわち、足の安定性及び衝撃波の有意の減少が同時に達成される。
【００１４】
実際、ソールブレーキゾーンの斜めの側面が、静止状態で足の対応する荷重支持の隆起部の皮膚部分の周縁部と一列に並ぶようになるように配置されるのではなく、足の荷重支持の隆起部から離れて配置された場合、これによって、靴に対する足の横及び前後方向の動きに対抗する足の周囲のブレース（ｂｒａｃｉｎｇ）及びガイダンスが失われ、さらに、衝撃波を減少させる漸進的な前後方向及び横の減衰の効果が失われることになる。
【００１５】
同様に、ソールブレーキゾーンの斜めの側面が、静止状態で足の対応する荷重支持の隆起部の皮膚部分の周縁部と一列に並ぶようになるように配置されるのではなく、足の荷重支持の隆起部の下に配置された場合、これによって、靴に対する足の横及び前後方向の動きに対抗する足の周囲のブレース及びガイダンスが激しく失われることになる。
【００１６】
さらに、ソールブレーキゾーンの横のゾーンが、ソールの上部の主表面に対して斜めではなく垂直であり、静止状態で足の対応する荷重支持の隆起部の皮膚部分の周縁部と一列に並ぶようになるように正しく配置されている場合、これによって、靴に対する足の横及び前後方向の動きの突然の誇張されたブロッキングが生じ、ユーザの脊柱ほど遠くまで伝播する衝撃波を発生させることになる。
【００１７】
衝撃波の発生は、サポートゾーンの周囲での圧力の増加に関連づけられる。例として、７６ｋｇの成人に対して、ソールサポートゾーンの周囲での圧力は、例えば、迅速なウォーキング中に第１及び第２中足骨頭部を利用することによって測定されてきた。ソールブレーキゾーンの側面がソールの上部の主表面に対して垂直である場合、圧力は４５００ｇ／ｃｍ２以上である。明らかに、迅速に歩く、走る若しくはジャンプする動き、又は、方向を変える間、これらの高い一過性の圧力は衝撃波を発生させる。一方、ソールブレーキゾーンの側面が、約４５°の傾斜角度で斜めである場合、圧力は２５００ｇ／ｃｍ２以下であり、従って、漸進的に制動されながらも足の小さな水平方向の動きが可能になり、これによって、対応する衝撃波がかなり著しく減少する。
【００１８】
従って、本発明によると、効果的且つ漸進的なブレースが、ユーザの脊柱ほど遠くまで伝播しがちである衝撃波の発生を防ぐように達成されるということが明らかである。
【００１９】
実際には、上記のソールブレーキゾーンの側面とソールの上部の主表面との間の傾斜角度は、１５°から６０°（１５及び６０を含む）であってもよい。上記の側面とソールの上部の主表面との間の傾斜角度が約４５°である場合、良好な結果を得ることができる。
【００２０】
周囲のブレース及びダンピングの効果は、第１材料及び第２材料の相対的な硬度又は剛性の値と組み合わせて、ダンピングソールの厚さ次第でもある。この目的を達成するために、ダンピングソールの変形が、方向の変更と共に、速く歩く及び走る又はジャンプする間のユーザの足によって及ぼされる圧迫力と両立できることが好ましく、すなわち、この変形は、足によって最大の圧迫力が及ぼされる場合には、不完全なままである。ヒールリーディング（ｈｅｅｌ  ｌｅａｄｉｎｇ）で迅速に歩く及び走る間、最大の圧迫力は、内部ゾーンよりも足の踵ゾーンにおいて高いとすれば、ダンピングソールの厚さは、その長手方向に沿って変わり、ダンピングソールの後側のゾーンにおいてより厚く、前側のゾーンにおいてより薄いことが有利である。
【００２１】
ダンピング及びブレースの効果において求められる精度の関数として、ヒトの足において、皮膚包膜（ｄｅｒｍａｌ  ｅｎｖｅｌｏｐｅ）により覆われた骨性隆起部によってそれぞれ画定される荷重支持の隆起部の数が多いか少ないかを区別することが可能であり、従って、本発明によるダンピングソールにおけるソールサポートゾーンの数が多いか少ないかを定めることが可能である。
【００２２】
しかし、本発明によると、ヒトの足において、足の指節骨により形成される足の前側の荷重支持の隆起部と、足の中足骨頭部により、踵骨の前外側部分により、立方骨により、足の第５中足骨により、及び足の踵により形成される足の主な荷重支持の隆起部とを考慮することに本質的なものがある単純化によって、満足のいく効果を得ることができる。これらの条件下では、以下：
−  ソールを使用する際に、足の指節骨によって形成される足の前側の荷重支持の隆起部の下にくるように適合及び配置された第１材料のソールの前側のサポートゾーン、
−  ソールを使用する際に、足の主な荷重支持の隆起部の下にくるように適合及び配置された、足の中足骨頭部の下にくるように配置された遠位のサポート部分と、足の第５中足骨の下、立方骨の下、及び踵骨の前外側部分の下にくるように配置された外側のサポート部分と、足の踵の下にくるように配置された後側のサポート部分と、を含む第１材料のソールの主なサポートゾーン、
を含む本発明によるダンピングソールを有利に提供することができ、
−  前側のサポートゾーンは、第２材料の中間の横断ブレーキゾーンによって、主なサポートゾーンにより形成されたアセンブリから分離されている。
【００２３】
これによって、サポートゾーンを取り囲むソールブレーキゾーンの側面により生じるブレース効果が最適化される。
【００２４】
第１の適用では、ダンピングソールは、アウターソールとインソールとの間でフットウェアアイテム内に固定される中間ソールを構成することができ、又はインナーソールを構成することができる。
【００２５】
第２の適用では、ダンピングソールは、取り外し可能なインナーソールを構成することができ、その上部の主表面は、足の足底面に接触するように適応し、その下部の主表面は、フットウェアアイテムのインナーソールと接触するように適応し、さらに、その周囲輪郭は、フットウェアアイテムの内側の輪郭に係合するように適合する。
【００２６】
この場合、フットウェアアイテムに対するユーザの足の良好な周囲のブレースは、フットウェアアイテムのインナーソールと足の足底面との間でフットウェアアイテムに取り外し可能なインナーソールが配置されている場合に、取り外し可能なインナーソール自体が、フットウェアアイテムにおいて、縦及び横方向に十分にブレースで固定されているということを必要とする。取り外し可能なインナーソールを良好に固定するために、取り外し可能なインナーソールの上部の主表面は、有利に、略平面であってもよく、取り外し可能なインナーソールは、有利に、その周囲長に沿って、ソールの下部の主表面に向かって略傾斜した周囲面を含む。実際には、周囲面は、有利に、２０から７０°の平均傾斜で傾斜していてもよい。
【００２７】
第１材料及び第２材料は、必然的に、満足のいく弾性変形能力を有するためにある程度の多孔性を有し、上記の多孔性は、上記の第１材料及び第２材料の内部への微生物病原体の侵入の可能性をもたらすということを考慮すると、衛生上の理由から、取り外し可能なインナーソールは、その上部の主面上に清浄コーティングを有するということが推奨される。
【００２８】
実際には、構想される適用全てにおいて、本発明によるダンピングソールは、ソールサポートゾーンを構成する第１のエラストマー材料、及び、ソールブレーキゾーンを構成する第２のエラストマー材料の、共に接着されたか、さもなければ共にしっかりと固定されたアセンブリで構成することができ、接着された清浄上部コーティングを有する。
【００２９】
別の態様によると、本発明は、上記のダンピングソールを少なくとも１つ含むフットウェアアイテムを提案する。実際には、この種のフットウェアアイテムには、この種の固定されたダンピング中間ソール、この種の取り外し可能なダンピングインナーソール、又はこの種の固定されたダンピング中間ソールとこの種の取り外し可能なダンピングインナーソールの両方が含まれてもよい。
【００３０】
別の態様によると、本発明は、フットウェアアイテム内に配置されるダンピングソールの使用を提案し、ダンピングソールは、フットウェアアイテムのアウターソールと、足の足底面との間に配置され、足は、フットウェアアイテムに係合し且つ周縁部によって限定される皮膚部分を有する荷重支持の隆起部を有し、ダンピングソールは、ソールの上部の主表面によって、フットウェアアイテムのアウターソールに向けられるように適応したソールの下部の主表面によって、及び、足の足底面を越えて突出し、且つ、フットウェアアイテムの内側の輪郭に従うように適合した周囲輪郭によって限定され、ダンピングソールは、少なくとも２つのそれぞれ異なる剛性又は硬度を有する主表面ゾーンを有し、
−  ダンピングソールは、ソールサポートゾーン及びソールブレーキゾーンを含み、ソールサポートゾーンのそれぞれは、足のそれぞれの荷重支持の隆起部の下にくるように配置され、
−  上記のソールブレーキゾーンは、上記のソールサポートゾーンを取り囲み、特に、サポートゾーンとソールの周囲輪郭との間に連続的なストリップを含み、
−  ソールサポートゾーンは第１材料に基づいており、ソールブレーキゾーンは第２材料に基づいており、
−  第１材料は、第２材料よりも小さい相対的な硬度又は剛性を有し、
−  ソールサポートゾーンは、第１材料と第２材料との境界を形成するソールブレーキゾーンのそれぞれの側面によって限定され、
−  上記の第１材料の相対的な硬度又は剛性は、１５から３５（１５及び３５を含む）  Ｓｈｏｒｅ  Ａであり、上記の第２材料の相対的な硬度又は剛性は、２０から４０（２０及び４０を含む）  Ｓｈｏｒｅ  Ａであり、上記の相対的な剛性又は硬度の差は、少なくとも約５  Ｓｈｏｒｅ  Ａであり、最大でも約１５  Ｓｈｏｒｅ  Ａであり、
−  上記のブレーキゾーンのそれぞれの側面は、ソールの上部の主表面に向かって傾斜し、ソールサポートゾーンの少なくとも１つを取り囲む略円錐形のブレーキゾーン表面を形成し、
−  それぞれの側面は、足がソールの上で静的に支持される場合に、それぞれの側面の部分の全て又は大部分が、上記の足のそれぞれの荷重支持の隆起部の皮膚部分の周縁部と一列に並ぶように配置されるため、上記の足のそれぞれの荷重支持の隆起部は、上記のソールサポートゾーンの少なくとも１つに皮膚部分の周縁部に沿って係合し、その周囲長に沿って、上記の少なくとも１つのソールサポートゾーンを取り囲むソールブレーキゾーンの側面によって形成される略円錐形の表面に対して重みがかかるようになる。
【００３１】
本発明の他の目的、特徴、及び利点が、付随の図を参照して与えられる以下の特定の実施形態の説明から現れることになる。
【図面の簡単な説明】
【００３２】
【図１】本発明の一実施形態による、足の荷重支持の隆起部を構成する足の骨格部分をその上に重ねた、右足の取り外し可能なインナーソールを上方から示した図である。
【図２】図１からの実施形態によるソールの上部の主表面の上方からの図であり、清浄コーティングは除去され、ソールサポートゾーン及びソールブレーキゾーンの配置を同時に示している。
【図３】横断面Ｉ−Ｉで見られる、図２からのソールの断面での後ろからの図である。
【図４】縦断面ＩＩ−ＩＩで見られる、図２からのソールの縦断面の側面図である。
【図５】本発明の別の実施形態による、ソールの下面上のサポートゾーンの輪郭を示した図である。
【発明を実施するための形態】
【００３３】
図に示されている実施形態では、本発明による取り外し可能なインナーソールは、上部の主表面１、下部の主表面２、及び周囲輪郭３によって限定される。
【００３４】
下部の主表面２は、フットウェアアイテムのインナーソールと接触するように適応している。示されている実施形態では、支持表面が縦方向において平面又はひだ状であって、通常の足の一般的な解剖学的湾曲に従い、サポート表面が横方向に略平面又は凹面であるフットウェアアイテムに適するように適応してもよい。周囲輪郭３は、フットウェアアイテムの内側の輪郭に係合するように適合し、この目的を達成するために、上記からわかるように、既知の取り外し可能なインナーソールの周囲輪郭の通常の湾曲を有している。
【００３５】
静止状態では、上部の主表面１は、取り外し可能なインナーソールに対する通常の平面の一般的形状を有するが、この形状は、本発明の範囲から逸脱することなく、特にユーザのアーチに適応するように変わり得る。
【００３６】
図４に示されている実施形態では、取り外し可能なインナーソールの厚さは、縦断面ＩＩ−ＩＩ（図２）に沿ってわずかに変わり、当該縦断面の横方向位置の関数としても変わる。この厚さは、足の踵の下に位置する後側のゾーンにおいてより厚く（Ｈ２）、前端ゾーンにおいてより薄い（Ｈ１）。この場合、増強された減衰効果が、後側のゾーンにおいて得られる。
【００３７】
図に示されている実際的な実施形態では、ヨーロッパサイズ４３の取り外し可能なインナーソールに関して、図２において、ソールの縦断面ＩＩ−ＩＩが、ソールの一般的な平面に垂直であり、第１趾と第２趾の間のギャップの下に位置することを意図したソールゾーンを通過すると考慮されている。図４に示されている縦断面での、すなわち、図２に示されている平面ＩＩ−ＩＩでの側面図では、スポーツ用の取り外し可能なインナーソールの前端部の厚さＨ１は、約４から９ｍｍであってもよく、その後端部の厚さＨ２は、約５から１１ｍｍであってもよく、取り外し可能なインナーソールの厚さは、前端部の減少した厚さＨ１と後端部の増加した厚さＨ２との間でその長手方向に沿って、例えば、連続的に又は少なくとも突然の途切れなしに変わっている。
【００３８】
タウン用の取り外し可能なインナーソールに対しては、わずかに薄い厚さ、例えば、前端部の３から６ｍｍの厚さＨ１、及び、後端部の４から８ｍｍの厚さＨ２が選ばれてもよい。
【００３９】
これらの厚さは、例示的な例として与えられており、特に、達成されるべき減衰及びフィットされるべき靴の関数として変わりがちである。従って、増加する厚さは、減衰特性を増加させるように選ぶことができ、またその逆も同様である。
【００４０】
図１において示されているように、ヨーロッパサイズ４３の取り外し可能なインナーソールの長さＬ１は３０ｃｍである。その幅は、関係する横断面の関数として変わり：横断面Ｉ−Ｉの最大の幅Ｌ２は約１０ｃｍであり、前後に向かって漸進的に減少している。
【００４１】
図１から４に示されている実施形態では、取り外し可能なインナーソールは、清浄コーティング４が固定された基底構造５を含む。清浄コーティング４は、例えば、スポーツ用の取り外し可能なインナーソールに対して０．５から１ｍｍの厚さのアルカンターラの布地であってもよく、又は、タウン用の取り外し可能なインナーソールに対して０．５から０．８ｍｍの厚さの皮革であってもよい。別の例によると、上部フィルム４ｂ自体の重ね合わせから成る清浄コーティング４を提供することができ、好ましくは、上部表面１を構成する快適な布地４ａで覆われ、足の皮膚と接触するように適応する。上部フィルム４ｂは、有利に、抗菌材料で作ることができる。従って、基底構造５には、求められる効果のために適した、足に接触することとの適合性が要求されない異なる材料が選ばれてもよい。
【００４２】
本発明の取り外し可能なインナーソールは、足３００に対する衝撃の効果的な減衰、靴における足３００の安定性、並びに、迅速に歩く、走る、回転する、ジャンプする、又は方向を変える動きの間の衝撃波の低減の機能を得るために、特定の様式で足３００（図３，図４）と協同することを意図している。
【００４３】
この目的を達成するために、取り外し可能なインナーソールは、本質的に、足の荷重支持の隆起部と協同し、その骨格が、図１において示されている。
【００４４】
この図１では、足の骨格２０の平面図が、上から見た図で表されている。指節骨２１、２２、２３、２４、及び２５、中足骨頭部２６、２７、２８、２９、及び３０、踵を構成する後側の部分３１ａ及び前外側部分３１ｂを含む踵骨３１、立方骨３２の外側部分、並びに、最後に第５中足骨３３が見られる。
【００４５】
指節骨２１〜２５は、この図においては示されていないそのそれぞれの皮膚部分によって覆われており、足の前側の荷重支持の隆起部１００を構成している。足の主な荷重支持の隆起部２００は、中足骨頭部２６〜３０、第５中足骨３３、立方骨３２、踵骨３１の前外側部分３１ｂ、及び踵骨３１の後側の部分３１ａ又は踵によって形成され、これらの骨格要素のそれぞれが、そのそれぞれの皮膚部分によって覆われている。
【００４６】
足の前側の荷重支持の隆起部１００は、指節骨２１〜２５の皮膚部分の外側の周縁部によって画定される前側の周縁部によって限定されている。同様に、足の主な荷重支持の隆起部２００は、上記の荷重支持の隆起部２００を形成する骨格要素２６〜３３の皮膚部分の外側の周縁部によって画定される主な周縁部によって限定されている。
【００４７】
図１及び２を同時に考慮すると、上部の主表面１において、本発明による取り外し可能なインナーソールが別々のゾーンを含み、これらのゾーンは、別々の機械的特性を有するということが分かる。
【００４８】
従って、本発明による取り外し可能なインナーソールは、この実施形態では、第１材料に基づくソールサポートゾーンと、第２材料に基づくソールブレーキゾーンとを含む。
【００４９】
ソールサポートゾーンは、ユーザの足の指節骨２１〜２５によって構成される前側の荷重支持の隆起部１００の下にくることを意図した前側のソールサポートゾーン６と、足の主な荷重支持の隆起部２００の下にくることを意図し、足の中足骨頭部２６、２７、２８、２９、及び３０の下にくるように配置された遠位のサポート部分７ａ、第５中足骨３３の下、立方骨３２の下、及び踵骨３１の前外側部分３１ｂの下にくるように配置された外側のサポート部分７ｂ、並びに、足の踵又は踵骨３１の後側の部分３１ａの下にくるように配置された後側のサポート部分７ｃを含むソールの主なサポートゾーン７と、を含む。
【００５０】
ソールブレーキゾーンは、ソールサポートゾーン６及び７によって占有されておらず、第２材料で構成されているソール表面の全てを占める。特に、これらのブレーキゾーンにおいて見られるのは、取り外し可能なインナーソールの周囲の全てを構成する周縁１０、足底ゾーン１１、及び前側のソールサポートゾーン６を主なソールサポートゾーン７から分離する中間の横断ゾーン１２である。
【００５１】
ソールサポートゾーン６又は７を構成する第１材料と、上記の第２材料で構成される、ソールサポートゾーン６及び７を取り囲むソールブレーキゾーン１０、１１、又は１２との間の境界を形成するそれぞれのブレーキゾーンの側面によって構成される連続的な輪郭によって、ソールサポートゾーン６及び７のそれぞれは限定されている。
【００５２】
上記のそれぞれの側面は、図３及び４において見られる。
【００５３】
従って、図３では、ソールの主なサポートゾーン７の遠位のサポート部分７ａは、左側及び右側で、ブレーキゾーンの周縁１０の側面７０によって限定されている。
【００５４】
本発明によると、上記の側面７０は、ソールの中心に向けられており、傾斜角度Ａで、ソールの上部の主表面１に向かって傾斜している。図において、傾斜角度Ａは、一定で、約４５°である。実際には、１５°から６０°（１５及び６０を含む）の傾斜角度Ａを提供することによって、良好な結果を得ることができた。
【００５５】
図４では、縦断面ＩＩ−ＩＩでの断面図において、ソールの前側のサポートゾーン６は、前側のサポートゾーンの中心に向けられ、また、同じ傾斜角度Ａで、ソールの上部の主表面１に向かって傾斜したブレーキゾーン１０及び１２のそれぞれの後側の側面６０及び前側の側面６１によって、前方及び後方にて、類似の様式で縁取られている。ソールの前側の支持ゾーン６は、また、左側及び右側で、ソールの主なサポートゾーン７に対して図３において示されているのと類似の様式で、ブレーキゾーンの周縁１０の側面７０によって縁取られている。同様に、遠位のサポート部分７ａは、前方にて中間のブレーキゾーン１２の後側の側面７１によって、及び、後方にてブレーキ足底ゾーン１１の前側の側面７２によって縁取られ、一方、ソールの主なサポートゾーン７の後側のサポート部分７ｃは、前方にてブレーキ足底ゾーン１１の後側の側面７３によって、及び、後方にてブレーキゾーンの周縁１０の前側の側面７４によって縁取られ、向き及び傾斜は、図４において示されている。
【００５６】
側面６０、６１、７０、７１、７２、７３、及び７４の向き及び傾斜のため、上方から見られた図２において、対応するソールサポートゾーン６又は７の横寸法は、ソールの下部の主表面２の近傍よりもソールの上部の主表面１の近傍において大きい。従って、図１及び２では、ソールの上部の主表面１の近傍におけるソールサポートゾーン６及び７のそれぞれの輪郭が実線で、ソールの下部の主表面２の近傍における同じソールサポートゾーン６及び７の輪郭が破線で示されている。
【００５７】
より具体的に図４を考慮すると、本発明による取り外し可能なインナーソールが、足３００の足底面とフットウェアアイテムのインナーソールとの間でフットウェアアイテムにおいて使用される場合の、ソールサポートゾーン６及び７と足３００の荷重支持の隆起部１００及び２００との相対位置が示されている。静的支持の場合、すなわち、ユーザが、取り外し可能なインナーソール上で支持され、起立位で動かない場合、足３００の前側の荷重支持の隆起部１００は、ソールの前側のサポートゾーン６にのしかかり、一方、足３００の主な荷重支持の隆起部２００は、ソールの主なサポートゾーン７上で支持される。この静的位置では、ソールブレーキゾーン１０、１２の側面６０、６１（図４）及び７０（図３）の少なくとも一部の部分が、足の前側の荷重支持の隆起部１００の周縁部と一列に並ぶようになる。言い換えると、足３００の前側の荷重支持の隆起部１００は、その皮膚部分の周縁部に沿って、ソールの前側のサポートゾーン６に係合し、さらに、その周囲長に沿って、ソールの前側のサポートゾーン６を取り囲むソールブレーキゾーン１０及び１２の傾斜した側面６０、６１、及び７０により形成される略円錐形の表面に対して支持されるようになる。同様に、ソールブレーキゾーンの側面７０、７１、７２、７３、７４の少なくとも一部の部分が、足３００の主な荷重支持の隆起部２００の周縁部と一列に並ぶようになる。言い換えると、足３００の主な荷重支持の隆起部２００は、その皮膚部分の周縁部に沿って、ソールの主なサポートゾーン７に係合し、その周囲長に沿って、後側のサポートゾーン７を取り囲むソールブレーキゾーン１０、１１、１２の傾斜した側面７０、７１、７２、７３、７４により形成される略円錐形の表面に対して支持されるようになる。
【００５８】
足３００の荷重支持の隆起部１００、２００は、皮層によって覆われた内部の骨部で形成されていることを思い出されたい。動的運動の間、横力及び／又は前後方向の力が、足によって取り外し可能なインナーソールに加えられ、足３００は、力の関数として、右か左に向かって、又は、前か後ろに向かって水平方向に動かされる傾向がある。しかし、これらの動きは、本発明による取り外し可能なインナーソールの減衰効果によって漸進的に制動及び制限され、その結果、足３００の荷重支持の隆起部１００、２００の皮膚部分のみが、対応するソールサポートゾーン６又は７からわずかに現れることができる。図４において、足３００の荷重支持の隆起部１００及び２００の皮膚ゾーンのあり得る前後の動き８０、８１、８２、８３、８４、及び８５が斜線で示されており、この動きの最大値は約１０から１２ｍｍであり得る。
【００５９】
結果として、動的運動の間、足３００の荷重支持の隆起部１００及び２００の骨部は、対応するソールサポートゾーン６又は７と持続的に一列に並んだままである。
【００６０】
この効果を得るために、第１及び第２の弾性的に変形可能な材料が、異なる相対的な硬度又は剛性を有するように選ばれ、第１材料は、第２材料よりも小さい相対的な硬度又は剛性を有する。実際には、第１材料の相対的な硬度又は剛性は、約１５から３５  Ｓｈｏｒｅ  Ａ（１５及び３５を含む）であってもよく、一方、第２材料の相対的な硬度又は剛性は、約２０から４０  Ｓｈｏｒｅ  Ａ（２０及び４０を含む）であってもよく、有利には、相対的な硬度又は剛性の差は、少なくとも約５  Ｓｈｏｒｅ  Ａであり、最大でも約１５  Ｓｈｏｒｅ  Ａである。
【００６１】
取り外し可能なインナーソールに対する足３００の垂直圧において、相対的な硬度又は剛性が低いソールサポートゾーン、この例においては、示されている実施形態におけるソールの前側のサポートゾーン６及びソールの主なサポートゾーン７は、足３００のそれぞれの荷重支持の隆起部１００及び２００を受け、従って、足３００から最大の機械力を受ける。上記のソールサポートゾーンは、足の垂直圧の作用によって弾性変形する。その相対的な硬度又は剛性がより低いという事実のために、ソールの前側のサポートゾーン６及びソールの主なサポートゾーン７の荷重下での変形は増加し、これらのゾーン内での足３００の一定の局在的な圧入が好まれる。この結果は、従って、ソール上での足の静的支持の間、足３００の荷重支持の隆起部１００及び２００が、対応するサポートゾーン６及び７に係合し、その周囲は、ソールのブレーキゾーン１０、１２、及び１１の斜めの側面６０、６１、７０、７１、７２、７３、及び７４により形成される略円錐形の表面に対して重みがかかるようになるということである。
【００６２】
例えば、ユーザの方向の変更において等、取り外し可能なインナーソールに対する足３００の水平圧において、側面６０、６１、７０、７１、７２、７３、及び７４が、ソールの中心に向けられ、傾斜角度Ａでソールの上部の主表面１に向かって傾斜しているという事実のために、及び、上記の側面は、周囲長に沿って分配されたその断面の大部分が、足３００の対応する荷重支持の隆起部１００、２００の皮膚部分の周縁部と一列に並ぶように配置されているという事実のために、ソールサポートゾーン６及び７を取り囲む、相対的な硬度又は剛性がより大きいソールブレーキゾーン１０、１１、及び１２は、取り外し可能なインナーソールに対する足３００の水平方向の動きを漸進的に制動し、これによって、漸進的な周囲の減衰、靴における足３００の安定性の効果、及びユーザの脊柱内に伝播しがちである衝撃波の有意な減少が生じる。
【００６３】
実際には、相対的な硬度又は剛性が低いサポートゾーン６及び７は、図１及び図２において示されているように、曲線状の輪郭で決定することができる。この例では、前側のサポートゾーン６は、示されているように５つの楕円形ゾーンの組み合わせで構成され、それぞれが、そのそれぞれの皮膚部分によって覆われている指節骨２１〜２５のうちの１つに対応している。同様に、主なサポートゾーン７の遠位の部分７ａは、そのそれぞれの皮膚部分により覆われている足の中足骨頭部２６〜３０のうちの１つにそれぞれが対応する５つのアーチを有する前縁部７０ａによって、２つの縦方向の外側縁７０ｂ及び７０ｃによって、並びに、取り外し可能なインナーソールの内部の半分の幅よりもわずかに小さい幅を占める横方向の後縁部７０ｄによって限定されている。主なサポートゾーン７の後側のサポート部分７ｃは、楕円形又は円形であり、ユーザの足の踵の形状と一致している。主なサポートゾーン７の外側のサポート部分７ｂは、遠位の部分７ａへのその接続まで、後側のサポート部分７ｃへのその接続から漸進的に減少する幅を有している。
【００６４】
例として、ヨーロッパサイズ４３の取り外し可能なインナーソールについては、図２において示されているように、図において示されている注目すべき点の間の以下の距離：ＮＣ＝２．２ｃｍ、ＣＤ＝３．１ｃｍ、ＤＥ＝１．８ｃｍ、ＥＦ＝５．４ｃｍ、ＦＧ＝１０．５ｃｍ、ＧＨ＝６．０ｃｍ、ＨＪ＝１．４ｃｍ、ＫＬ＝９．３ｃｍ、ＫＭ＝３から５ｍｍによって画定され得る寸法で輪郭配置を選ぶことができる。
【００６５】
別の例を与えるために、図５に示されている別の実施形態において、サイズ４２のダンピングソールについては、ソールの下部表面２に沿って：
−  前側のサポートゾーン６は、ベクトルａｂ（２．６ｃｍ、２４０°）、ｂｃ（２．６ｃｍ、１８０°）、ｃｄ（０．９ｃｍ、１２０°）、ｄｅ（１．９ｃｍ、５０°）、ｅｆ（６．３ｃｍ、１２０°）、ｆｇ（２．５ｃｍ、０°）、ｇｈ（５ｃｍ、３１０°）、ｈｉ（１．６ｃｍ、２７０°）、ｉａ（０．８ｃｍ、０°）によって画定される多角形で囲まれ；
−  主なサポートゾーン７を形成するアセンブリは、ベクトル：ｊｋ（２．２ｃｍ、２７０°）、ｋｌ（４．６ｃｍ、１８０°）、ｌｍ（２．２ｃｍ、９０°）、ｍｎ（１．１ｃｍ、０°）、ｎｏ（３．７ｃｍ、１０５°）、ｏｐ（４．８ｃｍ、１９５°）、ｐｑ（７．７ｃｍ、２１５°）、ｑｒ（３．７ｃｍ、１６０°）、ｒｓ（３．２ｃｍ、９０°）、ｓｔ（１．８ｃｍ、３５°）、ｔｕ（１４．８ｃｍ、１０°）、ｕｖ（４．３ｃｍ、３０５°）、ｖｊ（１．７ｃｍ、２７０°）によって画定される多角形で囲まれている。
【００６６】
フットウェアアイテム産業においては普通のことであるが、他のサイズも相似的に決定される。
【００６７】
清浄コーティング４は、異なる相対的な硬度のゾーンを有する基底構造５の有効性に影響を及ぼさないように十分に薄く且つ柔軟である。
【００６８】
フットウェアアイテムにおける取り外し可能なインナーソール自体の良好な安定性を確実にするために、ソールの上部の主表面１は、有利に、略平面であってもよく、取り外し可能なインナーソールは、その周囲３において、２０から７０°の平均傾斜Ｂでソールの下部の主表面２に向かって略傾斜した周囲面１４を含んでもよい。
【００６９】
一実施形態は、より大きい相対的な硬度又は剛性に等しい硬度の第２のエラストマー材料で全体的に作られたソールを提供し、ソールサポートゾーンを構成するように提供されたゾーンを切り取り、このように切り取られたゾーンに、相対的な硬度又は剛性がより小さい第１のエラストマー材料のシートを突っ込み、次に、清浄コーティング４に貼り付けることに本質的なものがある。
【００７０】
ソール本体を構成する材料として、適切な密度の独立気泡フォームのエラストマーを使用して、求められた相対的な硬度又は剛性を生じさせてもよい。良好な結果が、ブレーキゾーン１０、１１、及び１２を形成する第２材料として、エチル酢酸ビニル（ＥＶＡ）フォームを使用して得られており、一方、サポートゾーン６、７を形成する第１材料は、ポリウレタンフォームで形成される。
【００７１】
図を参照して先に記載した実施形態では、ダンピングソールは、取り外し可能なインナーソールである。
【００７２】
本発明の別の実施形態によると、ダンピングソールは、フットウェアアイテムのアウターソールと、インソール又はインナーソールとの間で、フットウェアアイテム内に固定される中間ソールを構成する。
【００７３】
この場合も、ダンピングソールの構造は、図１から４において示されているものであり、唯一の差は、靴におけるダンピングソールの中間位置に存在し、おそらく取り外し可能なインナーソールの場合よりも厚いその厚さにおいておそらく存在する。
【００７４】
実際には、上記の固定された中間ソールを組み込んだフットウェアアイテム若しくは上記の取り外し可能なインナーソールを組み込んだフットウェアアイテム、又は、この種の固定された中間ソールもこの種の取り外し可能なインナーソールも組み込んだ、そのそれぞれの足安定効果を組み合わせたフットウェアアイテムでさえも想像することができる。
【００７５】
本発明は、明示的に記載されてきた実施形態に限定されず、付随の特許請求の範囲内に含まれるその様々な変形及び一般化を含む。
【図１】
2020535948.tif 000003
【図２】
2020535948.tif 000004
【図３】
2020535948.tif 000005
【図４】
2020535948.tif 000006
【図５】
2020535948.tif 000007
【国際調査報告】
2020535948.tif 000008
2020535948.tif 000009
2020535948.tif 000010
2020535948.tif 000011